(57)【要約】湿気に過敏な試験要素の容器は、容器本体（２、１０２、２０２）、蓋（５０、１５０、２５０）および容器本体にはめ込まれている挿入部（２２、１２２、２２０）を備えている。ここで、挿入部の壁（２４、１２４、２４０）の外面と容器本体の壁（４、１０４、２０４）の内面との間に空洞（１８、１１８）が形成されている。上記蓋は、閉鎖位置にあるときに容器の開口部を密閉する大きさに形成されている。容器本体の壁と挿入部の壁との間にある上記空洞（１８、１１８）には、乾燥剤が収納されている。挿入部の壁は、中空路（２９、１２９、２２９）を規定している。上記中空路（２９、１２９、２２９）は、少なくとも１つの試験要素が挿入部の中空路から伸びて、所望の検体を試験する個々の試験要素を取り出し易い大きさを有している。乾燥剤は、水分にさらされたときに色が変化する指示薬を含有する。上記指示薬の色の変化は、容器の内容物、すなわち試験要素が環境要因によって損なわれているか否かをユーザに示す。
2010516571.tif 000002
【特許請求の範囲】
【請求項１】
閉鎖底（６、１０６）および開口端を有する容器本体（２、１０２、２０２）、
容器本体（２、１０２、２０２）にはめ込まれている挿入部（２２、１２２、２２０）、ならびに
閉鎖位置にあるときに容器の開口端を密閉する大きさに形成されている蓋（５０、１５０、２５０）を備えており、
挿入部の壁（２４、１２４、２４０）の外面（２４ａ、１２４ａ）と容器本体の壁（４、１０４、２０４）の内面（４ｂ、１０４ｂ）との間に空洞（１８、１１８）が形成されており、
挿入部の壁の外面と容器本体の壁の内面との間にある空洞（１８、１１８）内に乾燥剤が収納されている、湿気に過敏な試験要素用の容器。
【請求項２】
上記蓋（５０、２５０）が、上記挿入部（２２、２２０）に対して一体的に接続されている、請求項１に記載の容器。
【請求項３】
上記蓋（１５０）が、容器本体（２）の上記開口端にはめ込まれている保持要素（１３１）に対して一体的に接続されている、請求項１に記載の容器。
【請求項４】
挿入部（２２、１２２、２２０）の上記壁（２４、１２４、２４０）が、縦方向に延びる矩形の中空路（２９、１２９、２２９）を形成し、当該中空路が試験要素の束を収納する大きさに形成されている、請求項１〜３のいずれか１項に記載の容器。
【請求項５】
中空路（２９、１２９、２２９）の長さが試験要素の長さよりも短く、
中空路に収納されている少なくとも１つの試験要素は、蓋が閉鎖密閉位置にあるときに、挿入部の壁（２４、１２４、２４０）を越えて蓋の中空部（６１、１６１）まで伸びている、請求項４に記載の容器。
【請求項６】
上記乾燥剤を収納する空洞（１８）が、容器本体（２、２０２）の底壁（６）と挿入部（２２、２２０）の底（２０）との間に形成されている、請求項１〜５のいずれか１項に記載の容器。
【請求項７】
挿入部（２２、２２０）の上記底（２０）が、多孔性材料および／または水分浸透性の材料から構成されている、請求項６に記載の容器。
【請求項８】
上記乾燥剤を収納する周辺部の環状空間（１１８）が、挿入部の壁（１２４ａ）の外面と容器の壁（１０４ｂ）の内面との間に形成されている、請求項１〜７のいずれか１項に記載の容器。
【請求項９】
挿入部（２２）の上記壁（２４）が、多孔性材料および／または水分浸透性の材料から構成されている、請求項８の容器。
【請求項１０】
上記乾燥剤は、湿気にさらされたときに色が変化する指示薬を含有している、請求項１〜９のいずれか１項に記載の容器。
【請求項１１】
上記容器本体（２、１０２、２０２）が、透明な壁および／または壁部を有している、請求項１〜１０のいずれか１項に記載の容器。
【請求項１２】
上記挿入部（２２、１２２、２２０）が不透明である、請求項１〜１１のいずれか１項に記載の容器。
【請求項１３】
請求項１〜１２のいずれか１項に記載の容器の製造方法であって、
以下の工程：
（ｉ）一体化された壁（４、２０４）および底（６）を有する容器本体（２、２０２）を成型する工程と；
（ｉｉ）挿入部（２２、２２０）および蓋（５０、２５０）を一体成型する工程と；
（ｉｉｉ）容器本体の内面と挿入部の壁の外面との間にある空洞（１８、１１８）に乾燥剤を挿入する工程と；
（ｉＶ）容器本体（２、２０２）および挿入部（２２、２２０）を組み立てる工程と；および／または
（ｉ）容器本体（１０２）および挿入部（１２２）を一体成型する工程と；
（ｉｉ）保持要素（１３１）および蓋（１５０）を一体成型する工程と；
（ｉｉｉ）容器本体の壁の内面と挿入部の壁の外面との間にある空洞（１８、１１８）に乾燥剤を挿入する工程と；
（ｉＶ）挿入部（１２２）を含む容器本体（１０２）および一体形成された蓋（１５０）を有する保持要素（１３１）を組み立てる工程と
を包含する、製造方法。
【発明の詳細な説明】
【発明の詳細な説明】
【０００１】
〔発明の技術分野〕
本発明は再密閉可能な容器に関する。より詳細には、本発明は、湿気に過敏な試験要素（例えば、体液におけるグルコースといった分析物を試験する試験要素）を保存する、再密閉可能な容器に関する。
【０００２】
〔発明の背景技術〕
介護の目的における装置の使用は、電子装置における小型化技術の発展、改良された試験要素技術および疾患の自己管理に熱心な個人の増加にともなって、ここ２、３年の間にますます一般化し、かつ広く用いられている。
【０００３】
真性糖尿病は、欧米において一般化している疾患の１つである。真性糖尿病は、持続的な高血糖症によって特徴付けられる疾患である。高血糖症は、インシュリンホルモンの分泌不足、インシュリンに対する標的細胞の不十分な応答、またはこれらの要因の組み合わせのいずれかによって生じる。世界保健機構によれば、２００６年には世界中で、少なくとも１億７千百万人が糖尿病にかかっている。その発病率は急速に増加しており、２０３０年までには発病率が現在の２倍になると見積もられている。
【０００４】
真性糖尿病は、すべての年代において発症し、現在のところ治療法は知られていない。そのような慢性疾患にかかっている人々は、しばしば１日に数回にわたって血中のグルコース濃度を測定することを、保健医療の専門家（ＨＣＰ）によって推奨されている。その測定は、当該疾患から生じる長期間の合併症を最小化するためのものである。例えば、制御不能であるか、または異常な血中グルコース濃度の影響は、他の疾患（例えば、腎不全、視覚障害、および神経損傷）を生じる高い危険性を導き得る。
【０００５】
生理的液体のサンプルにおけるグルコース濃度の測定は、特に一般的な作業である。通常、当該作業は診断キットを用いて実施される。キットは、ランセット装置、ランセット、試験要素を収納している容器、および当然ながら携帯型の診断装置を備える。診断試験の実施は、通常、ユーザによるバイアルまたは容器からの試験要素の取り出し、携帯型の診断装置への試験要素の挿入、ランセット装置を用いた指の穿刺、および続く試験要素の塗布領域に対する生理的サンプル液体（例えば、毛細血管の血液）の塗布を含む。検体濃度の評価が実施され、かつユーザには数分後に結果が通知される。使用済の試験要素は、診断装置から取り除かれて、適当に処分される。
【０００６】
定期的なグルコース測定の実施においてＨＣＰ指針に熱心かつ真面目に従う患者は、一般に穿刺位置（すなわち、指先）に皮膚肥厚および／または水疱を生じるおそれがある。そのような状態は、患者に非常な不快感を与え、かつ極端な場合には患者に指先の感覚を失わせる。したがって、そのような状態によって、患者は現在知られているバイアルまたは容器から試験要素を首尾よく取り出せなくなり得る。さらに、そのような感覚の喪失は、１つの試験要素を取り出すときに内容物のすべてを患者がばら撒いてしまうおそれを増大させる。したがって各試験要素が汚染する可能性につながる。
【０００７】
例え仮骨および／または水疱ができていない患者であっても、試験要素および容器の両方の大きさに制限があるために、試験要素をうまく取り出すことに関して同じく問題が生じる。もちろん、真性糖尿病と特に因果関係のある障害である視覚障害の患者にとって、そのような問題は悪化する。その結果、容器から１つの試験要素を取り出そうとする際に、特に問題が生じる。
【０００８】
他の問題は、環境要因、とりわけ水分の吸収から湿気に過敏な試験要素を保護することである。試験要素による水分の吸収は、試験結果の歪曲を導き得、したがって試験要素を無駄にしてしまい得る。
【０００９】
環境要因から物品を保護するバイアルまたは容器は、研究の重要な領域と長く考えられている。一例として、Bulter et alの１９７４年７月３０日に発行された米国特許第３８２６３５８号において、管状の容器が開示されている。管状の容器は、内向きに突出した保持手段、および元口の壁と隣接して摩擦的にはめ込まれている緩衝手段を有する。さらに、環境効果的な挿入部が、緩衝手段と底端壁との間に保持され得る。当該容器は、錠剤の収納用である。
【００１０】
１９９２年５月１９日に発行されたJackisch et alの米国特許第５１１４００３号（存続期間満了）には、新しい乾燥剤が充填され、水分に対して即座に密閉された、乾燥剤の密閉容器が開示されている。密閉容器は、錠剤容器の基部に置かれる。錠剤が容器に入れられる直前に、乾燥剤密閉容器に孔が空けられて、容器内の空気に乾燥剤をさらす。それから錠剤が容器の中に入れられ、容器は周囲の空気に対して密閉される。
【００１１】
１９６６年６月７日に発行されたLancesseurの米国特許第３２５４７８４号には、円盤状の基部および空洞を規定する囲いを備える、びん用の蓋が開示されている。空洞は、当該空洞に収容された脱水材料の本体を有する。
【００１２】
１９８９年５月３０日に発行されたSachere et alの米国特許第４８３４２３４号には、体液分析用の試験要素を入れる容器が開示されている。当該容器は、円形の取り出し開口を有する容器本体、当該開口の軸と対向する密閉面、および取り出し開口を閉じるための栓を備えている。上記栓は、蓋板、密閉ビーズと外向きに対向して取り付けられている中空プラグ、中空プラグ内にある乾燥剤セル、および中空プラグをその内部において支持するための支持挿入部を有する。あきらかに試験要素は容器内にばらばらに収納されており、器用な個人を除いて試験要素を取り出しに困難な問題を生じる。
【００１３】
１９９９年６月１５日に発行されたHekalの米国特許第５９１１３９３７号には、重合体基質を有する乾燥剤添加重合体が開示されている。重合体基質において、乾燥剤が生成物の構造、または適切な挿入部に添加されている。
【００１４】
さらに、容器に収納された試験要素の取り扱いを容易にするという問題を解決するために、種々の試みが長い年月にわたってなされている。例えば、２００４年１月１５日に発行されたGriffith et alの米国特許出願公開第２００４／０００７８５号には、試験要素を保存し、かつ供給する試験要素容器が開示されている。試験要素容器は、試験要素の束を保存し、かつ試験要素を１つずつ容器から供給するために形成された容器を有している。付勢手段が、試験要素の束にバイアスをかけて、試験要素を１つずつ供給することを容易にするために、さらに備えられている。そのような付勢は、開口に向かう水平上方への運動方向、すなわち基部に対して平行に試験要素の束を押す。
【００１５】
しかし、容器のそのような構造は、誤作動に影響をうけやすいユーザによる試験要素の取り出しに関して、機械的な構成要素に頼っている。さらに、当該容器の製造コストはいくらか高い。
【００１６】
したがって、本発明の目的は、試験容器の取り出しが容易であり、かつ設計が単純であり、安価に製造できる、容器を提供することである。
【００１７】
本発明の他の目的は、収納される試験要素が水分といった環境要因から保護されるような、吸湿性を有する容器を提供することである。
【００１８】
〔発明の概要〕
上記において特定された目的は、請求項１に係る湿気に過敏な試験要素にとっての容器によって解決される。当該容器は、容器本体、容器本体にはめ込まれた挿入部、および閉鎖位置にあるときに容器の開口端を密閉する大きさに形成されている蓋を備える。挿入部は、挿入部の壁の外面と容器の壁の内面との間に空洞が形成される大きさに形成されている。容器本体と挿入部との間にある空洞に乾燥剤が収納されている。
【００１９】
本発明の容器は、試験要素が容器から容易に取り出せるように構成されている。したがって、矩形の中空路を有する挿入部は、直立した配置に並べられた試験要素の束を受け入れる大きさに形成されている。上記中空路は、蓋が閉鎖位置にある場合に、少なくとも１つの試験要素が挿入部の中空路の外に伸びて、所望の検体を試験する個々の試験要素を取り出し易い大きさに、好ましく形成されている。
【００２０】
本発明の好ましい実施形態において、容器は、それらの内容物（すなわち、試験要素）が環境要因によって損なわれているか否かがユーザに知らされるように、設計されている。したがって、容器の空洞に収納されている乾燥剤は、水分にさらされると色が変化する指示薬を好ましく含有する。そして、容器本体が透明な壁を好ましく備えると同時に、挿入部の壁が好ましくは不透明である。
【００２１】
診断的な試験要素を収納する好ましくは円筒形の容器は、単純な設計であり、かつ安価に製造される。
【００２２】
試験要素を収納する本発明の容器は、看護および家庭における設置の目的に使用され得る。そのような試験要素は、生理的液体の少量のサンプルにおけるグルコース濃度の測定、および／または血液の少量のサンプルにおける凝血性の測定、および／または所望の検体と識別要素との間における親和性反応の評価に使用され得る。
【００２３】
〔図面の簡単な説明〕
本発明の特徴および利点に関するさらなる理解は、以下の詳細な説明によって得られる。詳細な説明は、ほんの一例として例示的な実施形態を、添付の図面を参照して説明する。添付の図面のうち：
図１は、閉鎖位置にある蓋を有する、本発明に係る容器を斜めから見た概観を示す；
図２は、本発明の一実施形態に係る容器の壁に途切れを有する容器本体を示す；
図３は、本発明の一実施形態に係る挿入部を斜めから見た状態を示す；
図４は、開放位置にある容器本体内に配置された挿入部を斜めから見た状態を示す；
図５は、本発明の一実施形態に係る蓋の断面を示す；
図６は、閉鎖状態にある一体化された蓋を有し、かつ本発明の一実施形態に係る容器本体内に配置された挿入部をともなう、図１の線分Ａ−Ａ’に沿った断面から見た状態を示す；
図７は、本発明の他の実施形態に係る開放位置にある蓋を有し、かつ容器本体内に配置された挿入部をともなう、図１の線分Ａ−Ａ’に沿った断面から見た状態を示す；
図８は、容器本体の壁と挿入部の壁との間にある中空空間、および蓋と一体になった保持要素を描写した、図７を展開した状態を示す；
図９は、蓋と一体になった保持要素を斜めから見た状態を示す；
図１０は、本発明の他の実施形態に係る一体化した蓋を有する挿入部を斜めから見た状態を示す；
図１１は、開放位置にある蓋を有する容器本体に配置された、図１０に係る挿入部を斜めから見た状態を示す；
図１２は、容器内に収納された試験要素の束および閉鎖密閉位置にある蓋をともなう、図１の線分Ａ−Ａ’に沿った断面から見た概観を示す；
図１３は、本発明の一実施形態に係る試験要素路に挿入された要素の束、および説明を容易にするために蓋を取り除いた状態の容器を斜めから見た概観を示す；
図１４は、本発明の実施形態に係る容器から１つの細片をユーザが取り出している状態の、ユーザの手に握られている図１１の容器を示す。
【００２４】
〔発明の詳細な説明〕
容器１の概略的な斜視図が、試験要素の収納に関して図１に示されている。容器は、実質的に円筒形状に形成され、かつ片手の手のひらに収めされ得る大きさを有している。容器は、容器の底６とともに容器本体２を規定する一体形成された壁４、および上部開口端（図示せず）を備えている。また、容器の蓋５０が描写されており、この図において密閉された（すなわち、閉鎖した）位置にあるときについて、示されている。容器の蓋５０は、後述するように、弾力性のあるヒンジ３４を用いて、配置した容器内部に接続されている。容器の蓋５０の自由端（すなわち、ヒンジ３４の反対側にある端）は、つまみ６６を備えている。つまみ６６によって、密閉位置からの／への蓋５０の移動がさらに容易になる。
【００２５】
容器の蓋５０は、周囲の悪影響から保護するための蓋５０が閉鎖位置にあるときに、再密閉可能な気密密閉、および容器に収納されている試験要素の損傷の防止を提供する。容器の蓋５０が開放位置にあるとき、容器本体および容器の蓋５０の間に開口が形成されて、試験要素が容器から取り出され得る（さらなる詳細については後述する）。
【００２６】
例示のみを目的として、容器本体は、基本的に開口端を有する円筒形の容器として例証されている。しかし、本発明の実施形態に係る再密閉可能な容器は、あらゆる好適な形状を有し得る。容器は、ユーザによって扱われるときに容器がその形状を十分に維持する剛性を与える高い強度の材料から、好ましく製造される。高い強度の材料は、例えば、ポリプロピレンまたは液体不浸透性の他のプラスチック材料である。容器の壁は、透明または半透明であることが好ましい。任意に、容器の他の表面刻みを付けて、ユーザによる取り扱いをさらに容易にし得る。実際に、そのようなナーリング（ｋｎｕｒｌｉｎｇ）は、試験要素を詰めるときに機器に利用される位置決め特性を提供する。
【００２７】
容器１は、容器に保存されている試験要素に関する情報を示すステッカーまたはラベル（図示せず）を任意に含み得る。例えば、ラベルは、試験要素の供給元を特定する市場情報、および／またはバーコードおよび／またはデータ行列コードの形態における暗号化情報を示し得る。バーコードおよび／またはデータ行列コードは、試験要素の性質を特定する情報を含み得る。試験要素の性質は、例えば、試験要素のバッチコード（ｂａｔｃｈ  ｃｏｄｅ）、試験要素の使用期限の情報、および最大数が詰められた容器に保存されている試験要素の最初の数などである。後ほど明らかになるように、ステッカーまたはラベルは、容器のどこにでも配置され得る。
【００２８】
図２は、容器本体を斜めから見た状態を示す。これまでに述べた通り、容器本体２は、側壁４を有する円筒形状に形成されている。側壁４は、外面４ａおよび平行な内面４ｂを有する。円筒形状の容器本体２は、開口端８および閉鎖端を有する。閉鎖端は、底６を形成する側壁４と一体に形成されることが好ましい。実際には、溶接、ねじ留め、および／または接着結合によって、容器本体２の底６が容器本体２の側壁に対して取り付けられ得ることが、想定される。容器本体２の開口端４は、詳細について後述されるように、試験要素を容器１に挿入すること、および／または容器１から取り出すことを可能にする。容器本体２の上端は、不連続なリム５によって形成されている。
【００２９】
図面に示されるように、容器本体２は、容器本体２の開口端８の付近に設けられた、垂直に配置された対向面１０をさらに含む。対向面１０は、後ほど詳述されるように、蓋５０の領域と接合する領域を形成する。容器の壁４は、対向面１０を越えて垂直に伸びており、かつ不連続な領域１４を有する。不連続な領域１４は、後述するように、挿入部および／または保持要素の領域との間を適合させるために設けられている。図２には、半連続的なカラー１２が示されている。半連続的なカラー１２は、後ほど明らかになるように蓋５０上の領域との接合のために設けられている。
【００３０】
容器の側壁４および／または容器の底６は、透明または半透明である。
【００３１】
図３は、挿入部２２を斜めから見た状態を示している。挿入部２２は、外面２４ａおよび実質的に平行な内面２４ｂを有する挿入部の壁２４を備えている。挿入部の壁２４は、中心に配置され、好ましくは縦方向に伸びる矩形の路２９を規定する。矩形の断面形状によって、路２９は、長さ方向に伸びる側部４６ａ、４６ｂの対向対、および横方向に伸びる側部４８ａ、４８ｂの対向対を規定する。矩形の路２９は、試験要素の束の収納にふさわしく、後述のように、個々の試験要素が当該束から離れて容器から容易に取り出され得る大きさに形成されている。路２９の寸法は、必要に応じて変更され得る。例えば、長さ方向に伸びる側部の対向対および横方向に伸びる対向対は、約３５ｍｍの長さを有する。
【００３２】
容器本体の壁４の内面に隣接して設けられている周辺部の管状壁３０は、挿入部の壁２４を越えて垂直に伸びている。隆起３２が管状壁３０の外面上に配置されている。隆起３２は、容器の壁の不連続な領域１４と揃えるために設けられており（図２を参照すればよい）、かつ後ほど示すように半連続的なカラー１２とさらに揃えるために設けられている。挿入部２２の隆起３２および容器本体２のカラー１２は、後述のように、蓋５０の領域と接合するためのものである。
【００３３】
任意に、管状壁３０の内面は、内向きに配置された管状のくぼみ（図示せず）をさらに含み得る。そのような管状のくぼみは、蓋５０上における対応するつばとの固定および密閉を形成する領域を設けることを意図されている。しかし、好ましい実施形態において、蓋５０上の対応する部分との固定および密閉を形成する領域は、図に示されているように、隆起／カラー３２、１２によって提供される。
【００３４】
管状壁３０の一部として外面に設けられるのは、つば３３である。つば３３は、容器の壁の不連続な領域１４（図２を参照すればよい）の間から突出して必須に配置される。つば３３は、通常、容器の壁における不連続な領域１４と同等の幅を有する。つば３３は、容器の壁の対向面と隣接する表面または半連続的な表面を形成するために設けられている。さらにつば３３の一部として設けられるのは、弾力性のあるヒンジ３４である。弾力性のヒンジ３４は、突出しているつば３３の外端に好ましく配置され、かつ蓋５０にさらに接続される。蓋５０は、閉鎖密閉位置にあるときに、環境の有害な影響に対する障壁を提供する。したがって、挿入部２２および蓋５０が成型または一体成型されて１つの部品を好ましく形成することが理解され得る。挿入部の管状壁３０の上端は、リム３０ａによって形成されている。
【００３５】
挿入部２２は、管状の容器本体２の内部に適合した大きさに形成されている。挿入部の壁２４の周辺部の上端、および任意に挿入部の壁２４の下端は、挿入部２２が締りばめ（ｃｌｏｓｅ  ｆｉｔ）、締りばめ（ｉｎｔｅｒｅｆｅｒｅｎｃｅ  ｆｉｔ）および／または溶接によって適切な位置に保持され得るように、容器本体２の内径よりもわずかに小さい直径を有し得る。
【００３６】
挿入部２２は、有害な光線（例えば、紫外光）から内容物（すなわち、試験要素）を保護するために不透明であることが好ましい。また、挿入部２２は、ポリプロピレンまたは他の熱可塑性材料といった重合体材料から製造されることが好ましい。
【００３７】
図４は、開放位置にある蓋５０を有する容器本体２内に配置された、挿入部２２の斜視図である。容器本体２の内径および挿入部の壁２４の上端（および任意に下端）の外径の大きさは、それらの間（少なくともそれらの同心部分）が密閉した関係になるように調整される。つまり、密閉した関係は、締りばめまたは締りばめの関係である。図４に示されるように、挿入部の環状壁３０のリム３０ａは、容器の壁のリム５と隣接する表面を形成する。さらに、環状壁３０の外部の大きさは、容器の壁４の内部の大きさと密閉した関係になるように調整される。
【００３８】
挿入部の環状壁３０の外面は、容器の壁の不連続な領域１４の間から外周方向に突出しているつば３３を含む。つば３３は、容器の壁４の不連続な領域１４の間にはめ込むための大きさに形成されている。不連続な領域１４は、半連続的な対向面１０を与える。対向面１０は、蓋５０が隣接するための領域を形成する。対向面１０および蓋５０が隣接することによって、周囲の有害な影響に対して容器の内容物が密閉保護される。外向きに配置された隆起３２は、挿入物２２の環状壁３０の外面上に設けられている。隆起３２がさらに配置されて、容器本体２の上部の不連続な領域１４の間にはめ込まれている。隆起３２は、隆起３２が容器本体の外壁の不連続なカラー１２と揃うように、挿入部の壁の外面において側面に配置されている。隆起３２は、蓋５０の環状のくぼみ６２を受け入れて密閉するために好適な大きさに形成されている（図５も参照すればよい）。このくぼみ６２は、閉鎖位置にある蓋５０の縦方向および軸方向への移動を防ぐ手段として役割をさらに果たしている。
【００３９】
図４にさらに示される通り、蓋５０は、一体化されたヒンジ３４によって突出したつば３３に接続されている。ヒンジ３４は、くちばし状のつまみ６６の反対側に設けられている。つまみ６６は、蓋５０の外壁５６の下端から横方向に伸びている。
【００４０】
配置された挿入部２２の一部を形成するのは、路２９である。矩形の路２９は、挿入部２２内の中心に配置されている。そして、矩形の路２９は、試験要素の束を収納するための大きさに形成されている。例えば、路２９の開口は、約２１ｍｍの長さの開口および約１４ｍｍの幅の開口を有する。
【００４１】
図５は、本発明の一実施形態に係る蓋５０の断面を示す。蓋５０は、外向きに凸面を有する円筒形の円盤という通常の形状である。蓋５０は、第１の面５２および実質的に平行な第２の面５４を有する。円筒形の円盤は、容器本体２の開口端の付近に配置された容器本体の対向面１０と等しい直径を有する。
【００４２】
蓋５０は、一般的な円筒形の連続する側壁５６を備える。側壁５６は、内面５６ａおよび平行な外面５６ｂを有する。蓋の壁５６の厚さは、通常、容器本体の壁４の厚さと等しい。蓋の壁５６の高さ（すなわち、円盤の第２の面５４と蓋の壁５６の下端との間の幅）は、容器本体２の対向面１０を越えて突出する壁４の高さと等しい（図２を参照すればよい）。さらに、蓋の壁５６の内面５６ａは、通常、容器の壁４の外径と等しい直径を規定する。蓋の壁５６には、その周辺部の下端に環状のくぼみ６２が備えられていることが好ましい。環状のくぼみ６２は壁５６の内径より大きい直径を有する。そして、環状のくぼみ６２が形成されて、隆起３２およびカラー１２との間を固定する。隆起３２およびカラー１２のそれぞれは、環状壁３０の外面および容器の壁の外面に配置されている。
【００４３】
さらに、蓋５０は、段部５９において平坦な円盤に接続された囲い５８を備えている。囲い５８は、蓋５０の第２の面から下に向かって同軸に伸びるように形成されている。囲い５８は、環状の空間７０が囲いの外面と蓋の壁の内面５６ａとの間に形成されるように、蓋５０の壁の内径よりも小さい直径を有する。環状の空間７０は、蓋５０が閉鎖密閉位置にあるときに、容器本体の対向面１０を越えて突出する容器の壁４をはめ込むために与えられている。
【００４４】
囲いの外面５８ａの下端は、約５度の角度において内向きに先細りしていることが好ましい。この形状よって、蓋５０の閉鎖、特に挿入部の環状壁３０によって規定される開口への挿入が容易になる（図３を参照すればよい）。囲い５８には、挿入部の開口端がはめ込まれる。これによって、蓋５０が閉鎖位置に向かって移動するときに、蓋５０がヒンジを介して挿入部２２の内容物を密閉することが確実に行われる。特に、蓋のくぼみ６２は、蓋５０が閉鎖位置にあるときに、挿入部の隆起３２およびしたがって容器の壁４の半連続的なカラー１２を固定するために与えられている。これについては後述する。
【００４５】
さらに、蓋５０は、囲い５８の下端から蓋の第２の表面５４まで達する開口６１を備えている。したがって開口６１は中空部を規定している。中空部は、以降の図面において明らかになるように、試験要素の束の上端を収納するために形成されている。
【００４６】
蓋５０は、ユーザによる蓋５０の開閉を補助するために、くちばし状のつまみ６６という延長部分を備えていることが好ましい。つまみ６６は、壁５６の下端から横方向に伸びている。つまみ６６の反対側に備えられたヒンジ３４は、上述のように挿入部の突出するつば３３の部分を確実に形成する。くちばし状のつまみ６６のユーザによる相互作用の間に、ヒンジ３４によって、密閉位置への／からの蓋５０の切り替えられた変位を生じる。
【００４７】
蓋５０は、単一の構造からなり、かつ射出成型されるか、または挿入部２２とともに好適な合成樹脂から一体成型される。成型されたか、または挿入部と一体成型された蓋５０は、実際的に不透明である。したがって、蓋５０が密閉閉鎖位置にあるときに、容器に有害な光線（例えば、日光のＵＶ画分）が入射することを防ぐ。
【００４８】
図６は、本発明の一実施形態に係る容器本体２に配置された挿入部２２を有する容器１を、図１の線分Ａ−Ａ’に沿った断面から見た状態を示す。挿入部２２と一体化された蓋５０は、閉鎖密閉位置にある。上述のように、容器本体２は円筒形状であることが好ましい。容器本体２は、外面４ａ、内面４ｂを有する側壁４、開口端８および閉鎖端（底）６を有する。
【００４９】
挿入部２２は、容器本体２内に配置されている。挿入部２２は、外面２４ａおよび内面２４ｂを有する挿入部の壁２４を有し、かつ中心に配置された縦方向に伸びる矩形の路２９を規定している。路２９は、容器本体２の上端８から下端６まで伸びている。挿入部の壁２４の上端および任意に下端は、締りばめ、締りばめおよび／または溶接によって適切な位置に保持され得るように、容器本体２の内径よりもわずかに小さい直径を有している。
【００５０】
湿気に過敏な試験要素を保存するための、本発明に係る容器は、乾燥材料１８ａを収納する空洞１８が容器本体の壁４の内面４ｂと挿入部の壁２４の外面２４ａとの間に形成されていることを特徴とする。図６に係る本発明の容器の実施形態において、空洞１８は、容器本体の底６の内面６ａと挿入部の壁２４の下端に配置された底２０との間にある、容器本体２の底６の領域に設けられている。
【００５１】
本発明の１つの実施形態において、挿入部２２は、挿入部の壁２４と一体に形成された底２０を備えている。
【００５２】
図６に示すように、挿入部２２の底２０は、“仮の”底によって形成されていることが好ましい。したがってまた、挿入部の壁２４の下端は、図に示されるように仮の底２０の第１の面２０ａと隣接して配置されている。空洞１８内に収納された乾燥材料１８ａが、容器を通常に使用する間に容器本体、特に矩形の路２９に侵入し得る水分を吸収し得ることは、このような配置によって保証される。
【００５３】
容器の底６の内面は、容器の底に取り付けられ得るか、容器の底と一体化され得る種々の支持構造１６を好ましく備える。支持構造１６は、中心部分から容器のその内面の近傍まで放射状に伸びるアームとして与えられ得る。このとき、支持構造１６は、任意に容器本体２の壁と一体形成されて並列される。支持構造１６は、適当な数だけ容器の底に取り付けられるか、または容器の底に一体化され得る。したがって、それらの間に空間ができるように、互いに等距離だけ分離されていることが好ましい。支持構造１６（例えば、アーム）の奥行きは、空洞１８に必要とされる乾燥材料１８ａの容積に依存する。好ましくは、支持構造１６は約６ｍｍの奥行きである。
【００５４】
容器の底６に取り付けられているか、または容器の底６と一体化されている支持構造１６は、仮の底２０を支持する。仮の底２０は、環状の端部、第１の面２０ａおよび第２の面２０ｂを有する。そして、仮の底２０は、通常、容器本体２の内径と等しい直径を有する大きさに形成される。そのような大きさに関する配置は、仮の底２０の環状の端部と容器本体２の内壁とが密閉関係になるように調整される。つまり、密閉関係とは締りばめまたは締りばめのいずれかである。
【００５５】
したがって、少なくとも１つの中空の空洞１８は、容器の底６の内面６ａと、挿入部の底の第２の面２０ｂまたは仮の底２０との間に与えられる。上述のように、空洞１８は乾燥材料１８ａを保持するための構成である。挿入部の底または仮の底２０は、好ましくは多孔性の材料からなり、これによって水分または液体の汚染物が空洞１８に収納されている乾燥材料１８ａによって吸収され得る。また、多孔性の材料は、容器の内容物（すなわち、試験要素）が乾燥材料１８ａからの汚染物によって詰まってしまうことを防ぐ、ろ過器の役割を果たす。代替可能に、空洞１８は、例えば酸素といった環境要因から試験要素を保護する材料を用いて充填され得る。
【００５６】
上述のように、容器の底６の内面の間、すなわち放射状に広がるアーム１６と挿入部の底または仮の底２０との間に配置されているのは、吸湿性の乾燥材料１８ａの層である。吸湿性の乾燥材料の層は、約５ｍｍの厚さを有していることが好ましい。そのような材料は、シリカゲルの顆粒もしくは結晶、ペレットもしくは粉末の形態のシリカゲル、シリカエーロゲル、分子ふるい、または当業者に公知の他のあらゆる吸湿性材料といった特定の形態であり得る。乾燥材料１８ａの層は、容器の通常の使用（すなわち、例えば試験要素の取り出し）の間に容器に入り得るあらゆる水分を吸収するために備えられていることについて、認識される。
【００５７】
吸湿性の乾燥材料１８ａは、水分にさらされると色が変化する指示薬を含有していることが好ましい。そのような指示薬は、非吸湿状態における青色から吸湿状態における桃色に変化し得る、２塩化コバルトであり得る。さらに、指示薬材料の色の変化率は、水分へのばくろ量と正比例することが好ましい。色変化は、透明な容器の壁４または容器の壁４の透明な部分によって、ユーザに対して可視化される。
【００５８】
どの図面にも示していないが、挿入部の壁の外面２４ａと容器の壁の内面４ａとの間には、スリーブが設けられていることが好ましい。スリーブは、透明であり得、かつ容器に保存される試験要素に関連する情報を表示するステッカーまたは印刷情報を含み得ることについて、認識される。さらに、ステッカーおよびラベルは、着色された基準目盛りを含み得る。これによって、吸湿指示薬を用いた視覚的な比較が可能になる。着色された目盛りは、吸収材料および指示薬材料と隣接している。ラベルは、試験要素の供給元を特定する市場情報、試験要素の性質を特定する市場情報を任意に表示し得る。試験要素の性質は、試験要素の使用期限の情報、および最大数が詰められた容器に保存されている試験要素の最初の数などである。
【００５９】
上記挿入部は、本明細書において容器本体内部に配置され、かつ保持される挿入部として説明されている。その一方で以下の例示を通して、容器および挿入部が成型されるか、または一体成型されて、１つの部品を形成し得ることが明らかになる。また、挿入部の第１の端部が英数字および／または非英数字のマーキングを任意に含み得、これによってユーザが容器の内容物を正しく識別することを補助することについて、認識される。さらに挿入部の第１の端部は、刻み付きの色目盛り（例えば、多色または単色）を任意に含み得る。これは、容器内に残っている試験要素の量をユーザに示す助けになる。
【００６０】
図７において、図１の線分Ａ−Ａ’に沿った断面の状態が、本発明の他の実施形態にしたがって描写されている。蓋１５０は、説明を容易にするために便宜上、開放位置にある。
【００６１】
この実施形態においても同様に、容器本体１０２は、透明であり、かつ円筒形状を有していることが好ましい。容器本体１０２は、外面１０４ａおよび内面１０４ｂを有する側壁１０４を備えている。円筒形状の容器本体１０２は、閉鎖端１０６および開口端１０８を有する。閉鎖端１０６は側壁１０４と一体に形成されて、外面および内面を有する底１０６を形成する。実際には、容器本体１０２の底１０６が、溶接、ねじ込み、および／または接着結合によって容器本体１０２の側壁１０４に取り付けられていることについて、認識される。また、容器の底１０６は透明であることが好ましい。容器本体の開口端１０８は、種々の部品（すなわち、例えば容器本体１０２内に配置される挿入部およびスリーブ）を受け入れ可能である。
【００６２】
容器本体１０２に挿入されるのは、挿入部１２２である。挿入部１２２は、管状の容器本体１０２内にはめ込まれる大きさに形成されている。挿入部１２２は、ポリプロピレンなどといった重合体材料から任意に製造される。挿入部１２２は、中心に配置される壁１２４を備え、かつ容器の底１０６とは反対側に配置される矩形の開口を有する。壁１２４は、縦方向に伸びる矩形の路１２９を規定する。縦方向に伸びる矩形の路１２９は、容器の底１０６の第１の面から容器の開口端１０８付近まで伸びている。
【００６３】
路１２９は、矩形の断面を有するという構成によって、長さ方向に伸びる面の対向対、および横方向の面の対向対を規定する。長さ方向に伸びる面の対向対、および横方向の面の対向対は、約３５ｍｍの長さを有し得る。矩形の路１２９は、束の中から個々の試験要素が、容器内から容易に取り出され得るように、試験要素の束を収納するための大きさに形成されている。矩形の路の大きさは、必要に応じて変更され得る。
【００６４】
挿入部１２２は、周辺端を任意に有し得る。周辺端は、挿入部１２２が締りばめ、締りばめおよび／または溶接によって適切な位置に保持され得るように、容器本体１０２の内径よりもわずかに小さい直径を有する。さらに、挿入部１２２の周辺部の下端が配置されて、容器の１０６の第１の面と隣接させられ得る。しかし、使用される材料に依存して、挿入部１２２は、成型され得るか、または容器本体１０２と一体成型され得る。
【００６５】
挿入部の壁の外面１２４ａと容器本体の壁の内面１０４ｂとの間には、周辺部の環状の空洞１１８が形成されている。空洞１１８内には、吸湿性の乾燥材料１１８ａの層が形成されている。そのような乾燥材料は、シリカゲルの顆粒もしくは結晶、ペレットもしくは粉末の形態のシリカゲル、シリカゲル、分子ふるい、または当業者に公知のあらゆる他の吸湿性材料といった、特定の形態であり得る。吸湿材料１１８ａは、層状化されて挿入部の長さに伸ばされていることが好ましい。容器の通常の使用（すなわち、例えば試験要素の取り出し）の間に容器に入り得るあらゆる水分を吸収するために、乾燥材料１１８ａの層が備えられていることについて、認識される。
【００６６】
吸湿性の乾燥材料１１８ａは、水分にさらすと色が変化する指示薬を含有することが好ましい。そのような指示薬は、非吸湿状態における青色から吸湿状態における桃色に変化し得る、２塩化コバルトであり得る。さらに、指示薬材料の色の変化率は、水分へのばくろ量と正比例する。
【００６７】
さらに、挿入部１１２は、多孔性の材料から形成され得る。多孔性の材料は、水分または液体の汚染物が乾燥材料１１８ａによって吸収されることを可能にする。また、多孔性の材料は、容器の内容物（すなわち、試験要素）が乾燥材料１８ａからの汚染物によって詰まってしまうことを防ぐ、ろ過器の役割を果たす。上述のように、挿入部１２２は一般的に不透明である。
【００６８】
吸収材料１１８ａの層は、保持要素１３１によって中空空間内に好ましく保持され得る。締りばめ、締りばめおよび／または溶接によって備えられるように、保持要素１３１は、容器本体１０２の内径よりもわずかに小さい外径を有し、かつ内部開口が挿入部の壁１２４よりわずかに大きい。保持要素１３１は、ポリプロピレンなどといった重合体材料から好ましく形成され、かつ一般的に不透明である。しかし、保持要素１３１は、任意に多孔性材料または水分浸透性材料であり得る。これによって、水分または液体の汚染物が乾燥材料によって吸収されることが可能になる。
【００６９】
図７には示していないが、スリーブがさらに備えられ得る。好ましくは、スリーブは、プラスチック材料から形成され、かつ中空空間内（すなわち、挿入部の壁の外面と容器の壁の内面との間）に配置される管として形成される。スリーブは、透明であり得ることについて認識される。また、スリーブが、容器内に保存されている試験要素に関する情報を表示するステッカーまたは印刷された情報を含むことについて認識される。さらに、スリーブは、着色された基準目盛りを含み得、これによって、水分吸収指示薬を用いてなされる視覚的な比較が可能になる。着色された目盛りは、吸収材料と隣接して使用されることが好ましい。ラベルは、試験要素の供給元を特定する市場情報、試験要素の性質を特定する市場情報を任意に表示し得る。試験要素の性質は、試験要素の使用期限の情報、および最大数が詰められた容器に保存されている試験要素の最初の数などである。
【００７０】
図８には、図７を展開して斜めから見た状態が描写されており、容器本体１０２内に配置された挿入部１２２が示されている。上述のように、配置された挿入部の一部を形成するのは、矩形の路１２９である。矩形の路１２９は挿入部の中心に配置されている。そして、矩形の路１２９は、試験要素の束を収納するための大きさに形成されている。路１２９の矩形の開口は、約２１ｍｍの開口長さおよび約１４ｍｍの開口幅を好ましく有する。上述のように、路１２９の周辺部の下端が形成されて、容器の底１０６の第１の面と隣接させられている。同様に、路１２９の長さは、路１２９に収納されている試験要素の上端が容器本体１０２のリム１０５を越えて突出するような長さである。この点については、以下の図面から明らかになる。
【００７１】
また、吸収材料１１８ａを収納する環状の中空空間１１８が示されている。吸収材料１１８ａの層は、上述のように保持要素を用いて好ましく収納される。保持要素１３１を越えて垂直に伸びている周辺部の環状壁１３０が配置されて、容器の壁の内面１０４ｂに隣接させられている。環状壁１３０は、容器の壁１０４のリム１０５を越えない、好適な高さを有する。つまり、環状壁のリム１３０ａは、容器本体１０２および保持要素１３１が組み立てられたときに、容器の壁１０４のリム１０５と実質的に隣接している。
【００７２】
輪になっている環状壁１３０の他の面は、つば１３３および弾力性のあるヒンジ１３４を含む。弾力性のあるヒンジ１３４は、突出するつば１３３の外端上に好ましく配置され、かつ蓋１５０に対してさらに接続されている。蓋１５０は、密閉位置にあるときに、周囲の悪影響に対する障壁を与えつつ、試験要素を収納するためのものである。したがって、環状の保持要素１３１および蓋１５０が成型または一体成型されて、１つの部品を形成することについて、理解され得る。
【００７３】
段部において蓋１５０の平坦面と接続されている囲い１５８は、当該平坦面から下方に伸びるように形成されている。そして、囲い１５８は、保持要素１３１の環状壁１３０の長さによって決定される長さを有する。囲い１５８の下端は、内向きに先細りして、容器本体１０２への蓋１５０のはめ込みを容易にする。蓋１５０の壁の内面と囲い１５８の外面との間に形成されている環状の空間１７０は、容器本体の対向面１１０を越えて突出する容器の壁をはめ込むためのものである。
【００７４】
図９は、蓋１５０と一体化された保持要素１３１の斜視図であり、環状壁１３０の外面に取り付けられた隆起１３２を描写している。容器本体１０２および蓋１５０と一体化された保持要素１３１が組み立てられるときに、開口端に形成された隆起は、容器の壁の不連続な領域１１４および容器本体１０２の半連続的なリング１１２と揃えられる。容器本体１０２の隆起１３２およびリング１１２（図８を参照すればよい）は、蓋１５０の領域と接合する領域を形成する。
【００７５】
さらに、蓋１５０は、蓋１５０の下端から横方向に伸びるくちばし状のつまみ１６６を含む。つまみ１６６は、ヒンジ１３４の反対側に配置されている。
【００７６】
保持要素１３１の環状壁１３０の内面は、環状のくぼみ（図示せず）を任意に含み得る。環状のくぼみは、挿入部の第１の端部と容器の壁のリムとの間の中間に配置され得る。そして、環状のくぼみは、蓋１５０に任意に配置される環状のカラーとはめ込み固定するためのものである。
【００７７】
もちろん、本発明の容器は、図６ならびに図７、８および９のそれぞれに係る実施形態の組み合わせである。この実施形態において、容器は、底の領域および環状の周辺部の領域の両方において、乾燥材料１８ａ、１１８ａを収容する空洞１８、１１８を備え得る。底の領域は、容器の底壁６、１０６の内面６ａ、１０６ａの間にある。また、環状の周辺部の領域は、容器本体の壁４の内面４ｂ、１０４ｂと容器の挿入部の壁２４、１２４の外面２４ａ、１２４ａとの間にある。
【００７８】
図１０は、本発明の他の実施形態に係る一体化された蓋を有する挿入部を斜めから見た状態を示す。図１０において、挿入部を斜めから見た状態が、開放位置にある一体化された蓋２５０ともに示されている。挿入部２２０は、上部および下部において同軸に配置された開口を有する環状壁２３０、２３２を有する。壁２３０、２３２は、一体成型されて１つの部品を好ましく形成する。環状壁２３０、２３２のそれぞれは、外面２３０ａ、２３２ａおよび内面２３０ｂ、２３２ｂを有する。以降の図面に示されるように、上部の環状壁２３０の外径は、下部の環状壁２３２の外径よりも大きい。このような構成は、挿入部２２０を容器本体の開口端の範囲内に収める。さらに、下部の環状壁２３２の外径は、容器本体の内径と同程度の大きさである。このような構成によって、挿入部が容器本体の開口に挿入されるとき、締りばめ（ｔｉｇｈｔ  ｆｉｔ）を形成する。
【００７９】
挿入部２２０は、下部の環状壁２３２から下方にかつはめ込み的に生じる挿入部の壁２４０をさらに含む。挿入部の壁２４０は、外面および実質的に平行な内面を有する。挿入部の壁２４０は、中心に配置された、好ましくは縦長さ方向に伸びる矩形の路２２９を規定する。矩形の路２２９は、後述するように当該束から個々の試験要素が容易に容器から取り出され得るように、試験要素の束を収納するための大きさに形成されている。好ましくは、縦方向に伸びる路の長さは、使用に際して試験要素の取り出しを補助するために、（複数の）試験要素の長さよりも短い。また、この実施形態において、直立する突出２６０は、下部および上部の挿入部の環状壁２３０、２３２の内面２３０ｂ、２３２ｂの形成部分に形成されている。直立する突出２６０は、挿入部の壁２４０の内面と隣接する表面を形成して、縦方向に伸びる矩形の路２２９内に収納されている場合の、試験要素の正確な位置あわせを好ましく補助する。
【００８０】
蓋２５０は、円筒形の円盤２５４の通常の形状であり、かつ一般的に円筒形の連続する側壁を含む。円盤２５４は、第１の面および実質的に平行な第２の面を有する。側壁は、円筒形の円盤２５４から生じる内面および実質的に平行な外面を有する。蓋の壁の厚さは、通常、容器本体の壁の厚さと等しい。蓋の壁の高さ（すなわち、円盤の第２の面と蓋の壁の下端までの幅）は、通常、上部の環状壁２３０の高さと等しい。さらに、蓋の内径は、蓋が閉鎖位置にあるときに蓋の内径および環状壁の外径が互いを補足し合うように、通常、上部の環状壁２３０の外径と等しい。
【００８１】
好ましくは、突出部２４５は、蓋の壁の内面に備えられ、かつ周辺部の下端に配置される。突出部が形成されて、挿入部の上部の環状壁の外面上にある、対応する切り欠き２４４とはめ合わされる。したがって、正確に閉鎖位置にある場合に、蓋を固定するはまり込み機構が形成される。はまり込み機構に加えて、密閉リング２３１が、蓋の側壁の内面において周辺部に形成され得、挿入部および蓋の集合にさらなる密閉を与える。密閉リング２３１は、蓋の閉鎖位置において挿入部の上部の環状壁２３２に対して隣接する。挿入部の上部の環状壁２３２のリムは、面取りされて、蓋の閉鎖の形成を容易にする。
【００８２】
挿入部の上部の環状壁２３２が配置されて、密閉はめ込みを生じるための蓋の内壁をぴったりとはめ込む。蓋が閉鎖密閉位置にあるときに、蓋の壁の周辺部の下端は、外向きに突出するつばの外面と隣接する。なお、本実施形態において、蓋が挿入部と密閉され、かつ密閉を生じるための容器の形状に左右されないという点が重要である。
【００８３】
図１１は、図１０に係る挿入部２２０を斜めから見た状態を示している。挿入部２２０は、開放位置にある蓋２５０と共に容器本体２０２に配置されている。挿入部２２０は、挿入部の下部の環状壁２３２と容器本体２０２の開口との間における締りばめによって、適切な位置に保持されている。これは、挿入部の下部の環状壁の外径、および容器の開口の内径が同程度であるためである。特に挿入部の下部の環状壁２３２の突出外形が、挿入部の下部の環状壁２３２と容器本体２０２との間の締りばめを確実にしている。挿入部２２０が正確な位置に完全に挿入されると、挿入部の上部の環状壁２３０外面２３０ａは、容器本体２０２の外面とほぼ隣接する面を形成する。容器本体２０２は、挿入部の上部の環状壁２３０と隣接する、容器本体の開口端のリムを有する。さらに、蓋が閉鎖密閉位置にあるときに（図示せず）、蓋の壁のリムは容器の開口端のリムと隣接する。
【００８４】
図１１にさらに示されているのは、容器本体２０２の外面と挿入部の上部の環状壁２３０との間における、ほぼ隣接する面である。そのようなほぼ隣接する面は、円筒形の筐体および挿入部の上部の環状壁２３０の両方の外径が等しいことによって、形成される。なお、図１０および１１に係る実施形態において、容器本体は、容器の壁に不連続な領域（１４、図２を参照すればよい）を有していない。これは、上述のように、蓋が挿入部を用いて密閉され、かつ密閉を生じるために容器本体の形状に依存していないからである。
【００８５】
直立する突出部２６０は、路内に試験要素が整然と収納されることを補助する。直立する突出部２６０は、上部および下部の挿入部の環状壁２３０、２３２の内面部分に形成される。さらに、そのような突出部２６０は、これらの閉鎖状態において、個々の試験要素の端部が蓋の壁のリムに引っかかる可能性を低減させる。説明を容易にするために便宜上、容器は空である（すなわち、容器の中には試験要素がまったく収納されていない）。
【００８６】
図１１に示されているように、蓋２５０は、ヒンジ２３４を用いて挿入部２２０の下部の環状壁の部分に形成されている。ヒンジ２３４は、挿入部の下部の環状壁２３２から突出する、外向きに突出するつば２３３から伸びている。蓋のつまみ２６６は、上述のようにヒンジの反対側に配置されている。つまみ２６６は、例えば試験要素の取り出しの後に起こる、ユーザによるバイアルの蓋の開閉を補助する。上述のように、密閉リング２３１は、蓋が閉鎖位置にあるときに、挿入部および蓋の集合の密閉を生じる。密閉リング２３１は、蓋の側壁の内面において周辺部に配置されている。
【００８７】
図１１には示していないが、空洞が、乾燥材料を収納するために、容器の壁の内壁面と挿入部の壁の外面との間に形成されている。本発明の容器の１つの実施形態において、空洞は、容器の底の内面と挿入部の壁の下端に配置される底との間にある、容器本体の底の領域に形成されている。しかし、上述のように、空洞は、本発明の他の実施形態に係る容器のどこにでも形成され得る。空洞は、水分を吸収する乾燥材料を収納するためのものである。乾燥材料は、通常の容器の使用において、容器本体および特に矩形路に侵入し得る水分を吸収する。
【００８８】
図１２は、図１１を線分Ａ−Ａ’に沿った簡略化した断面を示している。図１２おいて、容器１内には、試験要素の束が収納されている。閉鎖密閉位置にある蓋５０が示されている。
【００８９】
上述のように、本発明の実施形態のすべてにおいて、中心に配置された挿入部の矩形の路２９は、配置された試験要素８０の束を誘導する大きさに形成されている。収納されている試験要素８０は、直立した状態で配置されている。つまり、（複数の）試験要素の副次端８０ａが、挿入部の仮の底２０の第１の面に接して、配置されている。図に示すように、試験要素８０の１つの副次端８０ｂは、矩形の挿入路２９を越えて、蓋５０の中空部６１に突出している。
【００９０】
蓋が閉鎖密閉位置にあるときに、図４および図８の実施形態に対応する図１２に示される実施形態において、蓋のリム６０が容器本体の対向面１０および突出するつば３３と隣接している状態が示されている。そのような閉鎖の配置によって、蓋のくぼみ６２が配置されて、挿入部２２の環状壁および保持要素１３１のそれぞれの隆起３２にはめ込まれて互いのかみ合いが保証される。
【００９１】
図１３は、本発明の実施形態に係る容器１、１０１、２０１に挿入された試験要素８０の束を描写する、容器１、１０１、２０１を斜めから見た簡略化された状態を示す。
【００９２】
試験要素８０は、約４０ｍｍの長さを有する、第１および第２の副次的な対向端８０ａ（図示せず）および８０ｂを有する。試験要素の幅は約１３ｍｍであり得る。当業者にとって明らかなように、そのような他の寸法が変更可能である。
【００９３】
試験要素８０の束は、試験要素の副次端８０ａのそれぞれが、上述のように挿入部の底または仮の底の第１の面と隣接するように、矩形の挿入路２９、１２９、２２９のそれぞれに挿入されている。そのような隣接が生じることによって、試験要素８０の第２の副次端８０ｂの部分が矩形の挿入路２９、１２９、２２９のそれぞれを越えて突出する。矩形の挿入路を越えて突出する試験要素８０のその部分は、ユーザによる個々の試験要素８０の容易な接触性および操作性を可能にする領域を生じる。作用領域面８１の大きさは、約７ｍｍであるが、そのような大きさが変更可能であることは、当業者にとって明らかなことである。
【００９４】
路２９、１２９、２２９のそれぞれは、図に示されるように、あらかじめ決められた数の試験要素を備え得る。例えば、束は２５の試験要素８０を含み得る。しかし、路は、２５の試験要素の束を収納することに限定されず、あらゆる適切な数の試験要素を収納し得る。実際には、路の長さおよび幅が本明細書に記載の寸法以外の試験要素にとって好適な大きさに形成され得ることは、当業者に明らかなことである。本開示に接すれば、当業者は容器の形状が種々の形態を取り得ることを認識する。例えば、容器本体の形状は、容器の本体が一方の方向よりも他の方向において相当に狭くなるような、楕円形状と同様であり得る。しかし、対向面に対する蓋の良好な密閉特性を維持するために、容器の開口および蓋は環状であることが好ましい。
【００９５】
（操作手順）
次に、容器の使用および動作が、これまでに論じられた図面および図１４を参照して記載される。図１４は、ユーザの手に握られている容器１、１０１、２０１を斜めから見た概略を示す。蓋５０、１５０、２５０は開口位置にある。容器に収納された試験要素８０の束が露出しており、個々の試験要素が容器から取り出されている。
【００９６】
蓋の開口過程は、容器の壁より外側に突出している蓋のつまみ６６、１６６、２６６を上方に持ち上げることによって開始される。持ち上げる力は、握っている手３００のユーザの親指によって加減され得る。それから、ヒンジ３４、１３４、２３４は、閉鎖密閉位置からの蓋５０、１５０、２５０の選ばれた変位をもたらす。
【００９７】
蓋５０、１５０、２５０が十分に広げられた位置まで移動させられるので、挿入部の路（２９、１２９、２２９）内に配置されている試験要素の束８２が、露出される。ユーザは、握っていない手の人差し指および親指を用いて、個々の試験要素８０の作用領域面８１を好ましくつかみ、かつ試験要素の隣接する位置から試験要素を好ましく取り出し得る。容器１、１０１、２０１からの個々の試験要素８０の取り出しによって、その後のユーザによる試験要素の使用を可能にする。
【００９８】
逆の動作において、蓋５０、１５０、２５０は、囲い（５８、１５８、図５を参照すればよい）が挿入部の開口の内部に完全に押し込むために、蓋に圧力を加えることによって閉じられる。この場合も同様に、閉じる力は握っている手のユーザの親指によって加減され得る。囲い（５８、１５８）は、容器の内容物を密閉するために挿入部の開口にはめ込まれる。蓋５０、１５０、２５０が開放位置から移動すると、囲い（５８、１５８）の先細り端は、容器の開口端のリムの上を通過し、かつ挿入部の壁の隆起（３２、１３２）、ならびに図４および８に係る実施形態においては容器の壁の半連続的な環（１２、１１２）と、蓋の環状のくぼみ（６２）がかみ合うまで移動する。くぼみ（６２）と隆起（３２、１３２）とがこのようにかみ合い配置されると、“カチッ”という音が鳴って、蓋が適切に閉じたことを確実にユーザに知らせる。囲い（５８、１５８）および挿入部の環状壁（２４ｂ、１２４ｂ）の内面は、蓋５０、１５０、２５０が閉鎖位置まで移動したときに、囲い（５８、１５８）の下端が挿入部（２２）の第１の端部または保持要素（１３１）の第１の端部と隣接し得るように、任意に構成され得る。つまり、平坦な円盤（５４）から生じる囲い（５８）の長さが、挿入部の環状壁（３０）の内面と同じ長さに構成され得る。そのような配置によって、有害な周囲の状態からのさらなる障壁を提供し得る。
【００９９】
上述のように、蓋および挿入部のかみ合い機構は、挿入部と蓋と、任意に容器本体との間の隙間のない密閉を提供する、あらゆる種類のものであり得る。図１０および１１の実施形態において示されるように、かみ合い機構は、対応する切り欠きとかみ合う突出部（２４５）によって提供され得る。この実施形態において、密閉リング（１３２）によって蓋と挿入部とのさらなる密閉が実現される。密閉リング（１３２）は、蓋の側壁の内面において周辺部に配置され、かつ蓋が閉鎖位置にあるときに、挿入部の上端の環状壁（２３０）と接している。
【０１００】
（容器の製造方法）
本発明の容器は、複数の異なる方法において製造され得る。
【０１０１】
例えば、図６において例示的に示される、本発明の実施形態に係る容器１は、透明な壁４、１つの閉鎖端６および１つの開口端を有する容器本体２の成型によって製造され得る。湿度指示薬を好ましく含有する乾燥材料１８ａは、容器本体２の底６に規定されている空洞１８に挿入される。それから、仮の底２０が、配置された乾燥材料１８ａを保持するために、容器本体２の開口を通して導入される。さらに、好ましくは不透明である挿入部２２が、蓋５と一体成型されて１つの部品として形成される。挿入部２２は、容器本体２内において締りばめまたは締りばめを形成するように、開口端を通って容器本体２内に移動させられる。挿入部２２の一端は、仮の底２０に接する。
【０１０２】
図７において例示的に示されるような本発明の他の実施形態によれば、容器１０１は、容器本体２が透明な壁４、閉鎖端１０６および開口端を有するように、透明な材料から製造され得る。挿入部１２２は、容器本体１０２とともに、任意に成型されるか、または一体成型される。ここで、挿入部１２２は、容器本体１０２の内径よりも小さい外径を有する。このようにして、周辺部の環状空間１８が規定される。挿入部１２２は、容器本体１０２が成型された後に、容器本体内に任意に導入される。湿度指示薬を好ましく含有する乾燥材料１８ａは、周辺部の環状空間１１８に導入される。一般的に不透明な保持要素１３１は、蓋１５０と一体成型されて１つの部品として形成される。それから、蓋１５０と一体成型された保持要素１３１は、容器本体の開口端を通して容器本体１０２に挿入されて、容器本体１０２内において締りばめまたは締りばめを形成する。
【０１０３】
上述のように、さらなる実施形態において、容器は乾燥材料１８ａ、１１８ａを収納する空洞１８、１１８を備え得る。乾燥材料１８ａは、容器本体２、１０２の底６の領域に形成された空洞１８に収納される。また、乾燥材料１１８ａは、容器本体の壁４、１０４と挿入部の壁２４、１２４との間にある周辺部の環状空間１１８に収納される。このような場合に、容器は、容器本体１、１０２の成型、容器本体の底６に規定された空洞１８への乾燥材料１８ａの挿入、容器本体の開口を介した仮の底２０の導入、周辺部の環状空間１１８への乾燥材料１１８ａの挿入、蓋１５０と一体成型された保持要素１３１の挿入によって製造され得る。ここで、乾燥材料１８ａは湿度指示薬を好ましく含有する。また、仮の底２０は、容器本体の底６に配置された乾燥材料１８ａを保持する。また、環状空間１１８は、容器本体２、１０２と挿入部２２、１２２との間に形成されている。また、乾燥材料１１８ａは、湿度指示薬を任意に含有する。
【０１０４】
本発明の種々の実施形態が以上において説明されている。この説明は、例示的であり、かつ非限定的であると意図される。したがって、以下の特許請求の範囲の範囲から逸脱することなく、詳細に説明される本発明に対してある種の変更がなされ得ることは、当業者にとって明らかである。
【図面の簡単な説明】
【０１０５】
【図１】閉鎖位置にある蓋を有する、本発明に係る容器を示す斜視図である。
【図２】本発明の一実施形態に係る容器の壁に途切れを有する容器本体を示す。
【図３】本発明の一実施形態に係る挿入部を示す斜視図である。
【図４】開放位置にある容器本体内に配置された挿入部を示す斜視図である。
【図５】本発明の一実施形態に係る蓋を示す断面図である。
【図６】閉鎖状態にある一体化された蓋を有し、かつ本発明の一実施形態に係る容器本体内に配置された挿入部をともなう容器を示す、図１の線分Ａ−Ａ’に沿った断面図である。
【図７】本発明の他の実施形態に係る開放位置にある蓋を有し、かつ容器本体内に配置された挿入部をともなう容器を示す、図１の線分Ａ−Ａ’に沿った断面図である。
【図８】容器本体の壁と挿入部の壁との間にある中空空間、および蓋と一体になった保持要素を示す、図７の展開図である。
【図９】蓋と一体になった保持要素を示す斜視図である。
【図１０】本発明の他の実施形態に係る一体化した蓋を有する挿入部を示す斜視図である。
【図１１】開放位置にある蓋を有する容器本体に配置された、図１０に係る挿入部を示す斜視図である。
【図１２】容器内に収納された試験要素の束および閉鎖密閉位置にある蓋をともなう容器の概観を示す、図１の線分Ａ−Ａ’に沿った断面図である。
【図１３】本発明の一実施形態に係る試験要素路に挿入された要素の束、および説明を容易にするために蓋を取り除いた状態の容器の概観を示す斜視図である。
【図１４】本発明の実施形態に係る容器から１つの細片をユーザが取り出している状態の、ユーザの手に握られている図１１の容器を示す。
【図１】
2010516571.tif 000003
【図２】
2010516571.tif 000004
【図３】
2010516571.tif 000005
【図４】
2010516571.tif 000006
【図５】
2010516571.tif 000007
【図６】
2010516571.tif 000008
【図７】
2010516571.tif 000009
【図８】
2010516571.tif 000010
【図９】
2010516571.tif 000011
【図１０】
2010516571.tif 000012
【図１１】
2010516571.tif 000013
【図１２】
2010516571.tif 000014
【図１３】
2010516571.tif 000015
【図１４】
2010516571.tif 000016
【国際調査報告】
2010516571.tif 000017
2010516571.tif 000018
2010516571.tif 000019